(57)【要約】【課題】メモリーカード組合せ装置の提供。【解決手段】メモリーカード組合せ装置は、メモリーカード１つ及び挿入ケース１つにより構成され、メモリーカードは、挿入部分１つと相対部分１つを有し、そのメモリーカードはその挿入部分の表面にＵＳＢインターフェースを設ける。その挿入ケースはスロット１つを有し、そのスロットの開口の外側を延伸した中空接続枠を有する。そのメモリーカードの相対部分をその挿入ケースのスロット内に可動的に挿入することにより、そのメモリーカードの挿入部分をその接続枠に組み合わせて、中空スリーブ接続口を構成し、当該ＵＳＢポートの挿入口内部の接続台にスリーブ接続する。当該ＵＳＢインターフェースはそのスリーブ接続口内に向け、そのＵＳＢポートの導電バネに接触し導通する。それにより、電気接触の安定性を高め、且つ容易にゆるんで脱落するのを避ける。【選択図】図２
0003128517.tif 000002
【実用新案登録請求の範囲】
【請求項１】
当該メモリーカード組合せ装置は、ＵＳＢポートの挿入口の接合に用い、また挿入口内部の接触台の導電バネに接触させる、以下のものを包括するメモリーカード組合せ装置である：
メモリーカード１つ：挿入部分１つ、及び相対部分１つを有し、そのメモリーカードはその挿入部分の表面にＵＳＢインターフェース１つを設ける、
挿入ケース１つ：スロット１つを有し、そのスロットの開口の外側を延伸した中空挿入枠である、
そのメモリーカードの相対部分をその挿入ケースのスロット内に可動的に挿すことにより、そのメモリーカードの挿入部分がその挿入枠に配合し、中空スリーブ接続口を構成して、当該ＵＳＢポートの挿入口内部の接続台にスリーブ接続する、当該ＵＳＢインターフェースは当該スリーブ接続口内に向き、当該ＵＳＢポートの導電バネに接触、導通する。
【請求項２】
当該メモリーカードがＵＳＢインターフェース、及び読み書き用インターフェースを有することを特徴とする請求項１記載のメモリーカード組合せ装置。
【請求項３】
当該挿入ケースの挿入枠が水平延伸板、及びそれに相対する両側板を有し、当該メモリーカードの挿入部分はその水平延伸板の相対面に位置し、当該中空スリーブ接続口を構成することを特徴とする請求項１記載のメモリーカード組合せ装置。
【請求項４】
当該挿入ケースの挿入枠が、水平相対板１つを有し、当該水平延伸板、及び両側板を配合して挿入枠１つを構成し、当該メモリーカードの挿入部分を収納することに供することを特徴とする請求項３記載のメモリーカード組合せ装置。
【請求項５】
当該挿入枠の両側板、及び水平相対板の間を隔て、両側にコネクターを構成し、そのメモリーカードの挿入部分を挿すのに供することを特徴とする請求項４記載のメモリーカード組合せ装置。
【請求項６】
当該挿入ケースのスロットがその挿入枠内まで延伸し、そのメモリーカードの挿入部分を収納することを特徴とする請求項１記載のメモリーカード組合せ装置。
【請求項７】
当該挿入ケースの両側にそれぞれ弧形凹部を設け、当該スロット両側が相対的に当該弧形凹部を貫通することを特徴とする請求項１記載のメモリーカード組合せ装置。
【請求項８】
当該挿入ケースの外部表面に、そのスロットに連通する開孔を設けることを特徴とする請求項１記載のメモリーカード組合せ装置。
【請求項９】
当該メモリーカードの相対部分と当該挿入ケースのスロットとの間に互いに位置決め装置１つを設けることを特徴とする請求項１記載のメモリーカード組合せ装置。
【請求項１０】
当該位置決め装置が少なくとも位置決め凸部１つ、及び相対する位置決め凹部１つを包括することを特徴とする請求項９記載のメモリーカード組合せ装置。
【考案の詳細な説明】
【技術分野】
【０００１】
本考案はメモリーカード組合せ装置に関するもので、特にＵＳＢポート内部の接続台及びその導電バネに接合するメモリーカード組合せ装置を指す。
【背景技術】
【０００２】
現在、エレクトリック・カードはパソコンや電子辞書などの方面によく用いられ、メモリー、ネットワークカード、モデム、ＳＣＳIデバイス（例えば高容量ハードディスク、スキャナー）を拡充する。
【０００３】
現在、エレクトリック・カードはPCMCIAメモリカードタイプを除き、大部分がＭＭＣ（Ｍｕｌｔｉ  Ｍｅｄｉａ  Ｃａｒｄ）、ＣＦ（Ｃｏｍｐａｃｔ  Ｆｌａｓｈ  Ｃａｒｄ）、ＳＭＣ（Ｓｍａｒｔ  Ｍｅｄｉａ（登録商標）  Ｃａｒｄ）、ＭＳ（Ｍｅｍｏｒｙ  Ｓｔｉｃｋ）、ＳＤ（Ｓｅｃｕｒｅ  Ｄｉｇｉｔａｌ  Ｍｅｍｏｒｙ  Ｃａｒｄ）メモリーカードなどの規格があり、パームパソコン（ＰＤＡ）、携帯用電子辞書及びデジタルカメラなどの製品に応用されている。
【０００４】
従来のメモリカードの多くは、一種類の規格のインターフェースを持つだけで、広く応用されているＵＳＢ規格の接続インターフェースが適用できない。現在すでに、図１に示すように、特定のダブルインタフェース・メモリーカード（９０）があり、一端にＵＳＢインターフェース（９１）を直接設け、また別の一端にはメモリーカード（９０）の読み書き用インターフェース（９２）を設置する。メモリーカード（９０）はＵＳＢインターフェース（９１）を選択し、電子デバイスのＵＳＢポート（９３）中に挿し、データのやり取りに供することができ、また読み書き用インターフェース（９２）を選択し、同じ規格の読み書き用スロット（図未表示）に挿して、データのやり取りに供することができる。
【０００５】
しかし現在、ダブルインタフェース・メモリーカード（９０）は読み書き用スロット（９２）の挿入側規格の厚みに適合しなければならない。そのためＵＳＢインターフェース（９１）の挿入側の厚みがＵＳＢポート（９３）の挿入口（９４）に合わず、特にメモリーカード（９０）は片側だけが挿入口（９４）内部の接続台（９５）に向いているため、ＵＳＢインターフェース（９１）とＵＳＢポート（９３）の導電バネ（９６）の確実な接触、導通ができず、電気の接触、安定性に影響する。且つメモリーカード（９０）が容易にゆるんで脱落し、ユーザーにトラブルをもたらす。
【考案の開示】
【考案が解決しようとする課題】
【０００６】
本考案の目的は、メモリーカード組合せ装置を提供し、主にメモリーカードを挿入ケースに配合して、ＵＳＢインターフェース型式のスリーブ接続口を構成し、ＵＳＢポート内部の接続台に接合して、ＵＳＢインターフェースをＵＳＢポートの導電バネに確実に接触、導通させて、電気接触の安定性を大幅に高め、しかも容易にゆるんで脱落するのを避け、また多用途な実際の使用ニーズに適合させることである。
【０００７】
上記の目的を達成させるため、本考案のメモリーカード組合せ装置は以下のものを含む。
メモリーカード１つ：挿入部分１つ、及び相対部分１つを有し、そのメモリーカードはその挿入部分の表面にＵＳＢインターフェースを設ける。挿入ケース１つ：スロット１つを有し、そのスロットの開口の外側を延伸した中空挿入枠である。そのメモリーカードの相対部分をその挿入ケースのスロット内に可動的に挿入し、そのメモリーカードの挿入部分をその接続枠に配合して、中空スリーブ接続口を構成し、そのＵＳＢスロットの挿入口内部の接続台にスリーブ接続する。そのＵＳＢインターフェースはそのスリーブ接続口内に向けて、そのＵＳＢポートの導電バネを接触、導通する。
【０００８】
実行可能な実施例において、そのメモリーカードはそのＵＳＢインターフェース、及び読み書き用インターフェースを有する。
【０００９】
比較的好ましい実施例において、当該挿入ケースの挿入枠は水平延伸板、及び相対する両側板を有する。当該メモリーカードの挿入部分は当該水平延伸板の相対面に位置し、その中空スリーブ接続口を構成する。
【００１０】
上記の挿入ケースの挿入枠は水平相対板１つを有し、その水平延伸板、及び両側板を組み合わせて挿入枠を構成し、当該メモリーカードの挿入部分を収納することに供する。
【００１１】
上記の挿入枠の両側板、及び水平相対板との間を隔て、両側にスロットを構成し、当該メモリーカードの挿入部分を収納することに供する。
【課題を解決するための手段】
【００１２】
請求項１の考案は、当該メモリーカード組合せ装置は、ＵＳＢポートの挿入口の接合に用い、また挿入口内部の接触台の導電バネに接触させる、以下のものを包括するメモリーカード組合せ装置である：
メモリーカード１つ：挿入部分１つ、及び相対部分１つを有し、そのメモリーカードはその挿入部分の表面にＵＳＢインターフェース１つを設ける、
挿入ケース１つ：スロット１つを有し、そのスロットの開口の外側を延伸した中空挿入枠である、
そのメモリーカードの相対部分をその挿入ケースのスロット内に可動的に挿すことにより、そのメモリーカードの挿入部分がその挿入枠に配合し、中空スリーブ接続口を構成して、当該ＵＳＢポートの挿入口内部の接続台にスリーブ接続する、当該ＵＳＢインターフェースは当該スリーブ接続口内に向き、当該ＵＳＢポートの導電バネに接触、導通する。
請求項２の考案は、当該メモリーカードがＵＳＢインターフェース、及び読み書き用インターフェースを有することを特徴とする請求項１記載のメモリーカード組合せ装置としている。
請求項３の考案は、当該挿入ケースの挿入枠が水平延伸板、及びそれに相対する両側板を有し、当該メモリーカードの挿入部分はその水平延伸板の相対面に位置し、当該中空スリーブ接続口を構成することを特徴とする請求項１記載のメモリーカード組合せ装置としている。
請求項４の考案は、当該挿入ケースの挿入枠が、水平相対板１つを有し、当該水平延伸板、及び両側板を配合して挿入枠１つを構成し、当該メモリーカードの挿入部分を収納することに供することを特徴とする請求項３記載のメモリーカード組合せ装置としている。
請求項５の考案は、当該挿入枠の両側板、及び水平相対板の間を隔て、両側にコネクターを構成し、そのメモリーカードの挿入部分を挿すのに供することを特徴とする請求項４記載のメモリーカード組合せ装置としている。
請求項６の考案は、当該挿入ケースのスロットがその挿入枠内まで延伸し、そのメモリーカードの挿入部分を収納することを特徴とする請求項１記載のメモリーカード組合せ装置としている。
請求項７の考案は、当該挿入ケースの両側にそれぞれ弧形凹部を設け、当該スロット両側が相対的に当該弧形凹部を貫通することを特徴とする請求項１記載のメモリーカード組合せ装置としている。
請求項８の考案は、当該挿入ケースの外部表面に、そのスロットに連通する開孔を設けることを特徴とする請求項１記載のメモリーカード組合せ装置としている。
請求項９の考案は、当該メモリーカードの相対部分と当該挿入ケースのスロットとの間に互いに位置決め装置１つを設けることを特徴とする請求項１記載のメモリーカード組合せ装置としている。
請求項１０の考案は、当該位置決め装置が少なくとも位置決め凸部１つ、及び相対する位置決め凹部１つを包括することを特徴とする請求項９記載のメモリーカード組合せ装置としている。
【考案の効果】
【００１３】
本考案はメモリーカード組合せ装置、主にメモリーカードを挿入ケースに配合して、ＵＳＢインターフェース型式のスリーブ接続口を構成し、ＵＳＢポート内部の接続台に接合して、ＵＳＢインターフェースをＵＳＢポートの導電バネに確実に接触、導通させて、電気接触の安定性を大幅に高め、しかも容易にゆるんで脱落するのを避け、また多用途な実際の使用ニーズに適合させることである。
【考案を実施するための最良の形態】
【００１４】
まず、図２から図６を参照の事。本考案のメモリーカード組合せ装置はメモリーカード（１０）、及び挿入ケース（２０） １つにより可動的に構成され、第７図に示すＵＳＢポート（３０）の挿入口（３１）を接合するのに用い、しかも挿入口（３１）内部の接続台（３２）の導電バネ（３３）と確実に接触する。第２図から第５図に示すように、そのメモリーカード（１０）は挿入部分（１１） １つ、及び相対部分（１２） １つを有し、その挿入部分（１１）の表面にＵＳＢインターフェース（１３） １つを設け、当該ＵＳＢインターフェース（１３）は必ず複数の配列された接触接点（１５）を持たなければならない。図２、図３、図６に示す挿入ケース（２０）の構造において、その中空本体はスロット（２１） １つを有し、そのメモリーカード（１０）の相対部分（１２）（図２、図３を参照）を可動的に挿入するのに供する。その挿入ケース（２０）のスロット（２１）の開口の外側を延伸した中空接続枠（２２）に、そのメモリーカード（１０）の挿入部分（１１）を配合し、中空スリーブ接続口（２３）を構成して、図７に示すそのＵＳＢポート（３０）の挿入口（３１）中への挿入に供する。
【００１５】
上記のメモリーカード（１０）はＵＳＢインターフェース（１３）を設置でき、ＵＳＢメモリーカードとする。これ以外に、図４に示すように、当該メモリーカード（１０）がＵＳＢインターフェース（１３） １つ、及び読み書き用インターフェース（１４） １つを有し、しかもその読み書き用インターフェース（１４）にSDインターフェース、MSインターフェース、或いは他の型式のインターフェースを設けることもできる。但し、当該メモリーカード（１０）の読み書き用インターフェース（１４）は、必ずPCカードアダプター（図未表示）を通す必要があり、そうすることで初めて標準規格の読み書き用インターフェースに変換でき、標準規格の読み書き用スロットに挿すことができる。
【００１６】
また、本実施例は図８に示すように、メモリーカード（１０１）に標準規格のMINI  SD読み書き用インターフェース（１４１）を設置することができる。また図９に示すように、メモリーカード（１０２）に標準規格のMS DUO読み書き用インターフェース（１４２）を設置することもできる。
【００１７】
本実施例のメモリーカード組合せ装置を実際に使用する時、図２、及び図７に示すように、メモリーカード（１０）の相対部分（１２）を挿入ケース（２０）のスロット（２１）内に可動的に挿入し、メモリーカード（１０）の挿入部分（１１）を挿入ケース（２０）の挿入枠（２２）に配合し、中空スリーブ接続口（２３）を構成して、ＵＳＢポート（３０）の挿入口（３１）内部の接続台（３２）にスリーブ接続する。同時にメモリーカード（１０）のＵＳＢインターフェース（１３）、及びその接触接点（１５）をスリーブ接続口（２３）内に向け、ＵＳＢポート（３０）の相対する複数の導電バネ（３３）に接触、導通させ、電気接触の安定性を高めて、メモリーカード（１０）、及び挿入ケース（２０）がＵＳＢポート（３０）から容易にゆるんで脱落するのを避ける事ができる。
【００１８】
図２及び図３に示す挿入ケース（２０）の構造中、その挿入ケース（２０）の挿入枠（２２）は、水平延伸板（２４）、及びその相対する両側板（２５）を有する。そのメモリーカード（１０）の挿入部分（１１）は、その水平延伸板（２４）の相対面に位置し、その中空スリーブ接続口（２３）を構成する。また、挿入ケース（２０）の両側にはそれぞれ弧形凹部（２７）を設けることができ、しかもスロット（２１）は相対する両側の弧形凹部（２７）を貫通して、両側の長方形の開孔（２８）を構成する。弧形凹部（２７）により、ユーザーが両手の指でメモリーカード（１０）の相対部分（１２）、及び挿入ケース（２０）を同時に持って、ＵＳＢポート（３０）からスムーズに取り出す事ができる（図７参照）。
【００１９】
図５、及び図７に示すメモリーカード組合せ装置中、当該メモリーカード（１０）の相対部分（１２）とその挿入ケース（２０）のスロット（２１）との間に位置決め装置１つを設け、適当な弾性の位置決め作用を有する。図に示すように、その位置決め装置はメモリーカード（１０）の相対部分（１２）の表面に位置決め凹部（１６） １つを設け、そして挿入ケース（２０）のスロット（２１）の相対壁に、対応する位置決め凸部（２６） １つを設ける（図７参照）。
【００２０】
図１０、図１１、図１２に示す別の実施例中、当該挿入ケース（２０）の挿入枠（２２）はさらに水平相対板（２９） １つを有し、その水平延伸板（２４）、及び両側板（２５）を配合して挿入枠を構成し、メモリーカード（１０３）の挿入部分（１１）を収納することに供する。当該メモリーカード（１０３）は図１１に示すように、ＭＩＣＲＯ  ＳＤインターフェース（１４３）、或いはＭＩＣＲＯ  ＭＭＣインターフェースを設置する事ができる。また、挿入ケース（２０）の外部表面に、内部スロット（２２１）に連通する開孔（２８１）を設けることができ、ユーザーは指で内向きにメモリーカード（１０３）を押して、メモリーカード（１０３）及び挿入ケース（２０）を一緒に引っ張る事ができる。しかもその挿入ケース（２０）のスロット（２２１）は、直接挿入枠（２２）内に延伸することができ、そのメモリーカード（１０３）の挿入部分（１１）を収納することに供され、結合させるのに便利である。
【００２１】
図１３、及び図１４に示す、もう１つの実施例中、挿入枠（２２）の両側板（２５）と水平相対板（２９）の間は、それぞれが一定の距離で隔てられ、両側に相対するスロット（２２２）を形成し、メモリーカード（１０４）の挿入部分（１１）を収納してて固定するのに供する。そしてメモリーカード（１０４）は標準規格のM２インターフェース、或いは、標準規格のMINI  SDインターフェースを設置することができる。
【００２２】
本考案のメモリーカードは挿入ケースを配合して、ＵＳＢインターフェース型式のスリーブ接続口を構成し、ＵＳＢポート内部の接続台に接合して、ＵＳＢインターフェースをＵＳＢポートの導通バネと確実に接触、導通させ、電気の接触安定性を大幅に高め、しかも容易にゆるんで脱落するのを避けることができ、多用途で実際的な使用ニーズに適合する。
【図面の簡単な説明】
【００２３】
【図１】周知のダブルインタフェース・メモリーカードをＵＳＢポートに挿した断面図である。
【図２】本考案の好ましい実施例のメモリーカード組合せ装置の立体図である。
【図３】第２図のメモリーカード組合わせ装置の別の面の立体図である。
【図４】第２図のメモリーカードの立体図である。
【図５】第４図のメモリーカードの別の面の立体図である。
【図６】第３図の挿入ケースの断面立体図である。
【図７】第２図のＵＳＢポートに挿した使用状態の断面図である。
【図８】第４図の別の一種のメモリーカードの立体図である。
【図９】第４図のまた別の種類のメモリーカードの立体図である。
【図１０】本考案の別の実施例のメモリーカード組合せ装置の立体図である。
【図１１】第１０図のメモリーカードの図である。
【図１２】第１０図の挿入ケースの断面立体図である。
【図１３】本考案のまた別の実施例のメモリーカード組合せ装置の立体図である。
【図１４】第１３図の挿入ケースの立体図である。
【符号の説明】
【００２４】
１０  メモリーカード
１１  挿入部分
１２  相対部分
１３  ＵＳＢインターフェース
１４  読み書き用インターフェース
１５  接触接点
１６  位置決め凹部
２０  挿入ケース
２１  スロット
２２  挿入枠
２３  スリーブ接続口
２４  水平延伸板
２５  側板
２６  位置決め凸部
２７  弧形凹部
２８  開孔
２９  水平相対板
３０  ＵＳＢポート
３１、９４  挿入口
３２、９５  接続台
３３  導電バネ
９０  メモリーカード
９１  ＵＳＢインターフェース
９２  読み書き用スロット
９３  ＵＳＢポート
９６  導電バネ
１０１、１０２、１０３、１０４  メモリーカード
１４１、１４２，１４３  読み書き用インターフェース
２２１  スロット
２２２  コネクター
２８１  開孔
【図１】
0003128517.tif 000003
【図２】
0003128517.tif 000004
【図３】
0003128517.tif 000005
【図４】
0003128517.tif 000006
【図５】
0003128517.tif 000007
【図６】
0003128517.tif 000008
【図７】
0003128517.tif 000009
【図８】
0003128517.tif 000010
【図９】
0003128517.tif 000011
【図１０】
0003128517.tif 000012
【図１１】
0003128517.tif 000013
【図１２】
0003128517.tif 000014
【図１３】
0003128517.tif 000015
【図１４】
0003128517.tif 000016
【手続補正書】
【提出日】平成18年10月27日(2006.10.27)
【手続補正１】
【補正対象書類名】実用新案登録請求の範囲
【補正対象項目名】全文
【補正方法】変更
【補正の内容】
【実用新案登録請求の範囲】
【請求項１】
ＵＳＢポートの挿入口の接合に用い、また挿入口内部の接触台の導電バネに接触させ、以下のものを包括するメモリーカード組合せ装置であり、
メモリーカード：挿入部分、及び相対部分を有し、そのメモリーカードはその挿入部分の表面にＵＳＢインターフェースを設け、
挿入ケース：スロットを有し、そのスロットの開口の外側を延伸した中空挿入枠であり、
そのメモリーカードの相対部分をその挿入ケースのスロット内に可動的に挿すことにより、そのメモリーカードの挿入部分がその挿入枠に配合し、中空スリーブ接続口を構成して、当該ＵＳＢポートの挿入口内部の接続台にスリーブ接続し、当該ＵＳＢインターフェースは当該スリーブ接続口内に向き、当該ＵＳＢポートの導電バネに接触、導通することを特徴とするメモリーカード組合せ装置。
【請求項２】
当該メモリーカードがＵＳＢインターフェース、及び読み書き用インターフェースを有することを特徴とする請求項１記載のメモリーカード組合せ装置。
【請求項３】
当該挿入ケースの挿入枠が水平延伸板、及びそれに相対する両側板を有し、当該メモリーカードの挿入部分はその水平延伸板の相対面に位置し、当該中空スリーブ接続口を構成することを特徴とする請求項１記載のメモリーカード組合せ装置。
【請求項４】
当該挿入ケースの挿入枠が、水平相対板を有し、当該水平延伸板、及び両側板を配合して挿入枠を構成し、当該メモリーカードの挿入部分を収納することに供することを特徴とする請求項３記載のメモリーカード組合せ装置。
【請求項５】
当該挿入枠の両側板、及び水平相対板の間を隔て、両側にコネクターを構成し、そのメモリーカードの挿入部分を挿すのに供することを特徴とする請求項４記載のメモリーカード組合せ装置。
【請求項６】
当該挿入ケースのスロットがその挿入枠内まで延伸し、そのメモリーカードの挿入部分を収納することを特徴とする請求項１記載のメモリーカード組合せ装置。
【請求項７】
当該挿入ケースの両側にそれぞれ弧形凹部を設け、当該スロット両側が相対的に当該弧形凹部を貫通することを特徴とする請求項１記載のメモリーカード組合せ装置。
【請求項８】
当該挿入ケースの外部表面に、そのスロットに連通する開孔を設けることを特徴とする請求項１記載のメモリーカード組合せ装置。
【請求項９】
当該メモリーカードの相対部分と当該挿入ケースのスロットとの間に互いに位置決め装置を設けることを特徴とする請求項１記載のメモリーカード組合せ装置。
【請求項１０】
当該位置決め装置が少なくとも位置決め凸部、及び相対する位置決め凹部を包括することを特徴とする請求項９記載のメモリーカード組合せ装置。
【手続補正２】
【補正対象書類名】明細書
【補正対象項目名】０００３
【補正方法】変更
【補正の内容】
【０００３】
現在、エレクトリック・カードはPCMCIAメモリカードタイプを除き、大部分がＭＭＣ（Ｍｕｌｔｉ  Ｍｅｄｉａ  Ｃａｒｄ（登録商標））、ＣＦ（Ｃｏｍｐａｃｔ  Ｆｌａｓｈ  Ｃａｒｄ（登録商標））、ＳＭＣ（Ｓｍａｒｔ  Ｍｅｄｉａ（登録商標）Ｃａｒｄ）、ＭＳ（Ｍｅｍｏｒｙ  Ｓｔｉｃｋ（登録商標））、ＳＤ（Ｓｅｃｕｒｅ  Ｄｉｇｉｔａｌ  Ｍｅｍｏｒｙ  Ｃａｒｄ（登録商標））メモリーカードなどの規格があり、パームパソコン（ＰＤＡ）、携帯用電子辞書及びデジタルカメラなどの製品に応用されている。
【手続補正３】
【補正対象書類名】明細書
【補正対象項目名】００１２
【補正方法】変更
【補正の内容】
【００１２】
請求項１の考案は、ＵＳＢポートの挿入口の接合に用い、また挿入口内部の接触台の導電バネに接触させ、以下のものを包括するメモリーカード組合せ装置であり、
メモリーカード：挿入部分、及び相対部分を有し、そのメモリーカードはその挿入部分の表面にＵＳＢインターフェースを設け、
挿入ケース：スロットを有し、そのスロットの開口の外側を延伸した中空挿入枠であり、
そのメモリーカードの相対部分をその挿入ケースのスロット内に可動的に挿すことにより、そのメモリーカードの挿入部分がその挿入枠に配合し、中空スリーブ接続口を構成して、当該ＵＳＢポートの挿入口内部の接続台にスリーブ接続し、当該ＵＳＢインターフェースは当該スリーブ接続口内に向き、当該ＵＳＢポートの導電バネに接触、導通することを特徴とするメモリーカード組合せ装置としている。
請求項２の考案は、当該メモリーカードがＵＳＢインターフェース、及び読み書き用インターフェースを有することを特徴とする請求項１記載のメモリーカード組合せ装置としている。
請求項３の考案は、当該挿入ケースの挿入枠が水平延伸板、及びそれに相対する両側板を有し、当該メモリーカードの挿入部分はその水平延伸板の相対面に位置し、当該中空スリーブ接続口を構成することを特徴とする請求項１記載のメモリーカード組合せ装置としている。
請求項４の考案は、当該挿入ケースの挿入枠が、水平相対板を有し、当該水平延伸板、及び両側板を配合して挿入枠を構成し、当該メモリーカードの挿入部分を収納することに供することを特徴とする請求項３記載のメモリーカード組合せ装置としている。
請求項５の考案は、当該挿入枠の両側板、及び水平相対板の間を隔て、両側にコネクターを構成し、そのメモリーカードの挿入部分を挿すのに供することを特徴とする請求項４記載のメモリーカード組合せ装置としている。
請求項６の考案は、当該挿入ケースのスロットがその挿入枠内まで延伸し、そのメモリーカードの挿入部分を収納することを特徴とする請求項１記載のメモリーカード組合せ装置としている。
請求項７の考案は、当該挿入ケースの両側にそれぞれ弧形凹部を設け、当該スロット両側が相対的に当該弧形凹部を貫通することを特徴とする請求項１記載のメモリーカード組合せ装置としている。
請求項８の考案は、当該挿入ケースの外部表面に、そのスロットに連通する開孔を設けることを特徴とする請求項１記載のメモリーカード組合せ装置としている。
請求項９の考案は、当該メモリーカードの相対部分と当該挿入ケースのスロットとの間に互いに位置決め装置を設けることを特徴とする請求項１記載のメモリーカード組合せ装置としている。
請求項１０の考案は、当該位置決め装置が少なくとも位置決め凸部、及び相対する位置決め凹部を包括することを特徴とする請求項９記載のメモリーカード組合せ装置としている。